(57)【特許請求の範囲】
【請求項１】
ステータの磁極と対向してロータコアの周方向に複数の磁石磁極が形成され、前記磁石磁極内に永久磁石を埋め込む態様で構成された磁石埋込型ロータであって、
前記磁石磁極は、前記ロータコアと一体形成され前記永久磁石の反ステータ側に設けられた反ステータ側磁極部と、前記永久磁石のステータ側に設けられ前記永久磁石の収容部を開放可能とすべく前記反ステータ側磁極部に対して分離可能とされたステータ側磁極部とから構成され、
前記ロータコアの軸方向両側に備えられる保持部材にてそれぞれ前記ステータ側磁極部の軸方向端部を保持し、該ステータ側磁極部と前記反ステータ側磁極部とのそれぞれに対して前記永久磁石を隙間なく当接させて該ステータ側磁極部と前記反ステータ側磁極部とで前記永久磁石を挟圧保持するように構成されたことを特徴とする磁石埋込型ロータ。
【請求項２】
請求項１に記載の磁石埋込型ロータにおいて、
前記ステータ側磁極部は、その軸方向の長さが前記永久磁石の軸方向の長さより長くなるように構成され、該ステータ側磁極部は、軸方向において、前記永久磁石の軸方向端を越えて延びる軸方向端部を有し、
前記保持部材には、軸方向に凹む挿入部が設けられ、該挿入部は、前記ステータ側磁極部の前記軸方向端部と圧接する圧入部分を有していることを特徴とする磁石埋込型ロータ。
【請求項３】
請求項２に記載の磁石埋込型ロータにおいて、
前記ステータ側磁極部の反ステータ側部分との間には隙間が生じるように構成されたことを特徴とする磁石埋込型ロータ。
【請求項４】
ステータの磁極と対向してロータコアの周方向に複数の磁石磁極が形成され、前記磁石磁極内に永久磁石を埋め込む態様で構成された磁石埋込型ロータであって、
前記磁石磁極は、前記ロータコアと一体形成され前記永久磁石の反ステータ側に設けられた反ステータ側磁極部と、前記永久磁石のステータ側に設けられ前記永久磁石の収容部を開放可能とすべく前記反ステータ側磁極部に対して分離可能とされたステータ側磁極部とから構成され、
前記ロータコアの軸方向両側に備えられる保持部材にてそれぞれ前記ステータ側磁極部の軸方向端部を保持し、該ステータ側磁極部と前記反ステータ側磁極部とで前記永久磁石を挟圧保持するように構成され、
前記保持部材は、前記ステータ側磁極部の軸方向端部を挿入して保持するように軸方向に形成された挿入部が設けられ、
前記挿入部には、前記ステータ側磁極部の軸方向端部における周方向の一部が挿入され、
前記保持部材には、前記ステータ側磁極部の挿入された以外の部分をステータ側に露出させる開口部分が設けられたことを特徴とする磁石埋込型ロータ。
【請求項５】
請求項２〜４のいずれか１項に記載の磁石埋込型ロータにおいて、
前記ステータ側磁極部は、前記保持部材の軸方向間のステータ側面に前記挿入部に挿入する部分よりステータ側に突出する突出部分が設けられたことを特徴とする磁石埋込型ロータ。
【請求項６】
請求項１〜５のいずれか１項に記載の磁石埋込型ロータにおいて、
前記ロータコアの軸方向両側に備えられる保持部材の少なくとも一方には、軸方向に突出し前記磁石磁極の周方向両側と係合する係合部が設けられたことを特徴とする磁石埋込型ロータ。
【請求項７】
請求項１〜６のいずれか１項に記載の磁石埋込型ロータを備えたことを特徴とするモータ。
【発明の詳細な説明】
【技術分野】
【０００１】
本発明は、磁石埋込型ロータ、及び該ロータを備えたモータに関するものである。
【背景技術】
【０００２】
モータに用いられるロータとして、磁石埋込型（以下、ＩＰＭ型という）ロータが知られている。ＩＰＭ型ロータとしては、例えば特許文献１にて示されているように、コアシートを複数枚積層させたロータコアに収容孔（軸線方向孔）が周方向に所定間隔に形成され、該収容孔に永久磁石を挿入して磁石磁極が構成されたものがある。このような構造のロータでは、ロータコアの軸方向の両側に保持部材（ベース部材）が設けられ、永久磁石及びロータコアが保持部材にて軸方向両側から保持されている。
【先行技術文献】
【特許文献】
【０００３】
【特許文献１】特許第４１６３９５３号公報
【発明の概要】
【発明が解決しようとする課題】
【０００４】
ところで、上記のＩＰＭ型構造のロータでは、永久磁石を収容孔内に挿入する構成としていることで、永久磁石の端部周縁のロータコアの一部が径方向に繋がった枠形状をなしている。そのため、その端部周縁のロータコアの一部で漏れ磁束が生じ、永久磁石の有効磁束が低減することになる。
【０００５】
本発明は、上記課題を解決するためになされたものであって、その目的は、ＩＰＭ型構造を採用したロータにおいて、漏れ磁束の低減を図り、モータトルクを向上させることができるロータ、及びそのロータを備えるモータを提供することにある。
【課題を解決するための手段】
【０００６】
上記課題を解決するために、請求項１に記載の発明は、ステータの磁極と対向してロータコアの周方向に複数の磁石磁極が形成され、前記磁石磁極内に永久磁石を埋め込む態様で構成された磁石埋込型ロータであって、前記磁石磁極は、前記ロータコアと一体形成され前記永久磁石の反ステータ側に設けられた反ステータ側磁極部と、前記永久磁石のステータ側に設けられ前記永久磁石の収容部を開放可能とすべく前記反ステータ側磁極部に対して分離可能とされたステータ側磁極部とから構成され、前記ロータコアの軸方向両側に備えられる保持部材にてそれぞれ前記ステータ側磁極部の軸方向端部を保持し、該ステータ側磁極部と前記反ステータ側磁極部とのそれぞれに対して前記永久磁石を隙間なく当接させて該ステータ側磁極部と前記反ステータ側磁極部とで前記永久磁石を挟圧保持するように構成されたことをその要旨とする。
【０００７】
この発明では、所謂ＩＰＭ型構造のロータにおいて、永久磁石を埋め込む態様で構成される磁石磁極は、ロータコアと一体形成された反ステータ側磁極部と、永久磁石の収容部を開放可能とすべく反ステータ側磁極部に対して分離可能とされたステータ側磁極部とから構成される。そして、ロータコアの軸方向両側に備えられる保持部材にてそれぞれステータ側磁極部の軸方向両端部分を保持し、該反ステータ側磁極部とステータ側磁極部とで永久磁石が挟圧保持される。つまり、反ステータ側磁極部とステータ側磁極部とを分離構造としたことにより各磁極部間の磁気抵抗が高くなるため、永久磁石の端部周縁に生じ得る漏れ磁束が低減される。結果、永久磁石の有効磁束の増加に繋がり、モータトルクを向上させることが可能となる。また、磁石磁極は、ステータ側磁極部と反ステータ側磁極部とで永久磁石を挟圧保持して構成されることで、永久磁石とステータ側及び反ステータ側磁極部との間の隙間（クリアランス）が極めて小さくなる。このことによっても永久磁石の有効磁束の増加、ひいてはモータトルクの向上に繋がる。
【０００８】
請求項２に記載の発明では、請求項１に記載の磁石埋込型ロータにおいて、前記ステータ側磁極部は、その軸方向の長さが前記永久磁石の軸方向の長さより長くなるように構成され、該ステータ側磁極部は、軸方向において、前記永久磁石の軸方向端を越えて延びる軸方向端部を有し、前記保持部材には、軸方向に凹む挿入部が設けられ、該挿入部は、前記ステータ側磁極部の前記軸方向端部と圧接する圧入部分を有していることをその要旨とする。
【００１０】
請求項３に記載の発明では、請求項２に記載の磁石埋込型ロータにおいて、前記ステータ側磁極部の反ステータ側部分との間には隙間が生じるように構成されたことをその要旨とする。
【００１１】
この発明では、挿入部へのステータ側磁極部の圧入時に、該ステータ側磁極部の端部が隙間側に逃げることが可能となるため、圧入作業が容易となり、また寸法誤差等の吸収を図ることができる。
【００１２】
請求項４に記載の発明では、ステータの磁極と対向してロータコアの周方向に複数の磁石磁極が形成され、前記磁石磁極内に永久磁石を埋め込む態様で構成された磁石埋込型ロータであって、前記磁石磁極は、前記ロータコアと一体形成され前記永久磁石の反ステータ側に設けられた反ステータ側磁極部と、前記永久磁石のステータ側に設けられ前記永久磁石の収容部を開放可能とすべく前記反ステータ側磁極部に対して分離可能とされたステータ側磁極部とから構成され、前記ロータコアの軸方向両側に備えられる保持部材にてそれぞれ前記ステータ側磁極部の軸方向端部を保持し、該ステータ側磁極部と前記反ステータ側磁極部とで前記永久磁石を挟圧保持するように構成され、前記保持部材は、前記ステータ側磁極部の軸方向端部を挿入して保持するように軸方向に形成された挿入部が設けられ、前記挿入部には、前記ステータ側磁極部の軸方向端部における周方向の一部が挿入され、前記保持部材には、前記ステータ側磁極部の挿入された以外の部分をステータ側に露出させる開口部分が設けられたことをその要旨とする。
この発明では、所謂ＩＰＭ型構造のロータにおいて、永久磁石を埋め込む態様で構成される磁石磁極は、ロータコアと一体形成された反ステータ側磁極部と、永久磁石の収容部を開放可能とすべく反ステータ側磁極部に対して分離可能とされたステータ側磁極部とから構成される。そして、ロータコアの軸方向両側に備えられる保持部材にてそれぞれステータ側磁極部の軸方向両端部分を保持し、該反ステータ側磁極部とステータ側磁極部とで永久磁石が挟圧保持される。つまり、反ステータ側磁極部とステータ側磁極部とを分離構造としたことにより各磁極部間の磁気抵抗が高くなるため、永久磁石の端部周縁に生じ得る漏れ磁束が低減される。結果、永久磁石の有効磁束の増加に繋がり、モータトルクを向上させることが可能となる。また、磁石磁極は、ステータ側磁極部と反ステータ側磁極部とで永久磁石を挟圧保持して構成されることで、永久磁石とステータ側及び反ステータ側磁極部との間の隙間（クリアランス）が極めて小さくなる。このことによっても永久磁石の有効磁束の増加、ひいてはモータトルクの向上に繋がる。
また、保持部材には軸方向に形成された挿入部が設けられ、軸方向両側に設けられる保持部材の挿入部のそれぞれにステータ側磁極部の軸方向両端部分が挿入され該磁極部が保持される。これにより、ステータ側磁極部を保持する構造を簡易な構成とすることができる。
【００１３】
この発明では、保持部材に設けた挿入部には、ステータ側磁極部の軸方向端部における周方向の一部が挿入される。そして、保持部材には、ステータ側磁極部の挿入された以外の部分をステータ側に露出させる開口部分が設けられる。これにより、ステータ側磁極部は、軸方向端部における周方向の挿入された以外の部分がステータ側に開口部分から露出されることでステータに直接対向する磁束発生面を広くすることができ、有効磁束の増加を図ることができる。
【００１４】
請求項５に記載の発明では、請求項２〜４のいずれか１項に記載の磁石埋込型ロータにおいて、前記ステータ側磁極部は、前記保持部材の軸方向間のステータ側面に前記挿入部に挿入する部分よりステータ側に突出する突出部分が設けられたことをその要旨とする。
【００１５】
この発明では、ステータ側磁極部は、保持部材の軸方向間のステータ側面に、挿入部に挿入する部分よりステータ側に突出する突出部分が設けられる。これにより、ステータ側磁極部とステータとの間の隙間がその突出部分で小さくなるため、有効磁束の増加を図ることができる。
【００１６】
請求項６に記載の発明では、請求項１〜５のいずれか１項に記載の磁石埋込型ロータにおいて、前記ロータコアの軸方向両側に備えられる保持部材の少なくとも一方には、軸方向に突出し前記磁石磁極の周方向両側と係合する係合部が設けられたことをその要旨とする。
【００１７】
この発明では、ロータコアの軸方向両側に備えられる保持部材の少なくとも一方には、軸方向に突出し磁石磁極の周方向両側と係合する係合部が設けられる。これにより、永久磁石は係合部により周方向両側からも保持されるため、永久磁石の位置ずれ等を確実に防止することができる。
【００１８】
請求項７に記載の発明では、請求項１〜６のいずれか１項に記載の磁石埋込型ロータを備えたモータである。
この発明では、漏れ磁束が低減され、モータトルクの向上が図られたモータを提供することができる。
【発明の効果】
【００１９】
本発明によれば、ＩＰＭ型構造を採用したロータにおいて、漏れ磁束の低減を図り、モータトルクを向上させることができるロータ、及びそのロータを備えるモータを提供することができる。
【図面の簡単な説明】
【００２０】
【図１】本実施形態におけるモータの概略構成図である。
【図２】本実施形態におけるロータの分解斜視図である。
【図３】本実施形態におけるロータの断面図である。
【図４】（ａ）は別例におけるロータの断面図であり、（ｂ）は別例におけるカバー部材及び外側磁極部の組み付けを示す斜視図である。
【発明を実施するための形態】
【００２１】
以下、本発明を具体化した一実施形態を図面に従って説明する。
図１に示すように、本実施形態のモータＭは、インナロータ型のブラシレスモータであり、モータケース１の内部に、ステータ２及びロータ２０を収容して構成されている。モータケース１は、有底円筒状のケース本体３と、該ケース本体３の開口部を閉塞する略円板状のカバープレート４とから構成されている。ケース本体３の内周面には、円環状のステータ２が固定され、該ステータ２のティース５には、ロータ２０を回転させる回転磁界を発生させるための巻線磁極６が巻装されている。
【００２２】
ステータ２の内側には、回転軸７を備えるロータ２０が配置されている。略円柱状に形成された回転軸７の基端部は、前記ケース本体３の底部中央に設けられた軸受８によって軸支される一方、該回転軸７の先端側の部位は、前記カバープレート４の径方向の中央部に設けられた軸受９によって軸支されている。また、回転軸７の先端部は、カバープレート４の径方向の中央部を貫通してモータケース１の外部に突出している。
【００２３】
図１及び図２に示すように、回転軸７には、ステータ２と径方向に対向するようにその軸方向の中央部よりも基端部寄りの部位に略円柱状のロータコア２１が配置されている。ロータコア２１は、後述の内側磁極部２７と突極３１とが一体形成されたコア本体部分２１ａと、外側磁極部２８とで構成されている。コア本体部分２１ａは、磁性金属板材からなるコアシート２２を軸方向に複数枚積層し互いにかしめにより連結して構成され、外周面には軸方向に沿って永久磁石２３が当接して配置されている。またロータ２０には、ロータコア２１の基端側に配置されたカバー部材２４と、該カバー部材２４と対向してロータコア２１の先端側に配置されたカバー部材２５とが該ロータコア２１の軸方向の両側に配置されている。そして、ロータ２０は、各カバー部材２４，２５が外側磁極部２８の軸方向端部を保持し、その外側磁極部２８と内側磁極部２７とで永久磁石２３が挟圧保持される構造となっている。
【００２４】
回転軸７におけるロータコア２１と軸受９との間には、円環状に形成され周方向に複数の磁極を有するセンサマグネット１１が固定されている。これに対し、前記カバープレート４の内側面４ａには回路基板１２が固定され、該回路基板１２上にはセンサマグネット１１と軸方向に対向する位置に例えばホールＩＣ等よりなる磁気センサ１３が配置されている。磁気センサ１３は、ロータ２０の回転位置を検出すべく、センサマグネット１１の回転に伴う磁界変化を検出する。
【００２５】
次に、ロータ２０の構成について詳細に説明する。
ロータコア２１（コア本体部分２１ａ）は、円環状に形成され中央部分に圧入孔２１ｂが設けられ、該圧入孔２１ｂへの回転軸７の圧入にて該回転軸７に対して固定されている。ロータコア２１の外周部分には、永久磁石２３が配置された磁石磁極２６が周方向に（９０°間隔に）４個形成されている。各磁石磁極２６は、ロータコア２１のコア本体部分２１ａと一体形成され永久磁石２３の径方向内側（反ステータ側）に設けられた内側磁極部（反ステータ側磁極部）２７と、永久磁石２３の径方向外側（ステータ側）に配置され内側磁極部２７と別体で設けられた外側磁極部（ステータ側磁極部）２８とから構成されている。内側磁極部２７は、径方向外側に突出した凸形状をなしその凸形状の先端部分は平坦面２７ａをなしており、各平坦面２７ａに永久磁石２３がそれぞれ（全部で４個）配置されている。永久磁石２３は、略直方体に形成され長手方向が軸方向に沿って配置されている。永久磁石２３の径方向内側の内側平坦面２３ａは、内側磁極部２７の平坦面２７ａと当接して配置されている。
【００２６】
永久磁石２３の径方向外側には、長方形板状をなす外側磁極部２８が配置されている。外側磁極部２８は、磁性金属板材からなる略直方体のコア部材２９を周方向に複数個積層し互いにかしめにより連結して構成されている。永久磁石２３の径方向外側の外側平坦面２３ｂは、外側磁極部２８の径方向内側の平坦面２８ａと当接して配置されている。
【００２７】
内側及び外側磁極部２７，２８は、周方向の長さが永久磁石２３と同じ長さに形成されている。また、各内側磁極部２７と永久磁石２３とは、軸方向の長さが同じ長さとなるように構成されている。そして、内側及び外側磁極部２７，２８は永久磁石２３を径方向両側から挟み込み、該永久磁石２３をそれぞれ埋め込む態様で収容して磁石磁極２６を構成している。このように永久磁石２３を埋設する態様であっても、外側磁極部２８を分離構造としたことで永久磁石２３の収容部を開放状態として永久磁石２３の組み付けを行うことが可能なため、この組み付け作業が容易であり、しかも内側磁極部２７と外側磁極部２８とのそれぞれに対して永久磁石２３が隙間無く当接可能に組み付けられる。
【００２８】
磁石磁極２６は、径方向外側に突出した形状に構成され、内側及び外側磁極部２７、２８と永久磁石２３の周方向両端部分は磁石磁極２６の磁極中心線（外側平坦面２３ｂの中央位置から径方向に延びる線）に沿って面一に形成されている。その突出形状の各磁石磁極２６間には、ロータコア２１の外周部に一体形成された突極３１がそれぞれ磁石磁極２６と軸方向から見て一定面積の空隙Ｋを設けて形成されている。因みに、空隙Ｋは、磁石磁極２６の側面と、突極３１の側面とで周方向の面が構成され、径方向内側から外側の開口部分に向かうに連れてその周方向の幅が広くなる扇形状をなしている。
【００２９】
ロータ２０の軸方向両側には、略円板状のカバー部材２４，２５が配置されている。各カバー部材２４，２５は、その外径がロータコア２１の外径（この場合、突極３１部分での外径）と等しく形成されている。各カバー部材２４，２５は、径方向の中央部分に固定孔２４ａ，２５ａがそれぞれ設けられ、各固定孔２４ａ，２５ａへの回転軸７の圧入にて該回転軸７に対して固定されている。両カバー部材２４，２５は、回転軸７が圧入されることにより、該回転軸７及びロータコア２１と一体回転可能に固定される。
【００３０】
各カバー部材２４，２５には、軸方向に突出し断面形状が前記空隙Ｋの扇形状に合わせて形成され各磁極２６，３１及び永久磁石２３の周方向両端部に係合する係合部２４ｂ，２５ｂがそれぞれ設けられている。また、各カバー部材２４，２５には、外側磁極部２８の軸方向端部部分をそれぞれ挿入して保持するように断面形状が略長方形に凹設された挿入溝２４ｃ，２５ｃが周方向に磁石磁極２６の位置に応じて（全部で４個）それぞれ形成されている。挿入溝２４ｃ，２５ｃは、径方向外側に位置する外側の側面２４ｄ，２５ｄが外側磁極部２８の同側の平坦面２８ｂの軸方向端部と圧接する圧入部分として設けられている。そして、各挿入溝２４ｃ，２５ｃの側面２４ｄ，２５ｄと外側磁極部２８の外側の平坦面２８ｂとが圧接するようにして各カバー部材２４，２５が回転軸７に固定される。これにより、外側磁極部２８は、該磁極部２８自身と内側磁極部２７とで永久磁石２３を挟持するように固定されることとなる。
【００３１】
また、このカバー部材２４，２５の取り付け状態では、挿入溝２４ｃ，２５ｃの近傍に設けた各係合部２４ｂ，２５ｂが各磁極２６，３１及び永久磁石２３の周方向両端部に当接する。更に、各カバー部材２４，２５のロータコア２１側の面は、ロータコア２１及び永久磁石２３の軸方向端面にも当接する。これにより、永久磁石２３は、外側磁極部２８と内側磁極部２７とによる径方向の保持のみならず、周方向及び軸方向の保持（移動規制）が図られている。
【００３２】
因みに、図３に示すように、各挿入溝２４ｃ，２５ｃの溝幅（径方向長さ）は、外側磁極部２８の厚さよりも大となるように形成されており、径方向内側に位置する各挿入溝２４ｃ，２５ｃの内側の側面２４ｅ，２５ｅと外側磁極部２８の径方向内側の平坦面２８ａとの間に隙間Ｓが生じるように構成されている。この隙間Ｓは、外側磁極部２８の軸方向端部が各挿入溝２４ｃ，２５ｃに挿入された際の逃げ空間として機能する。また、各カバー部材２４，２５においては、挿入溝２４ｃ，２５ｃがその径方向外側部２４ｆ，２５ｆよりも内側に位置しているため、その挿入溝２４ｃ，２５ｃに挿入される外側磁極部２８（磁石磁極２６）は、ロータ２０の最外周よりも若干内側に後退した位置となっている。
【００３３】
そして、このようなロータ２０は、径方向外側面がＮ極となるように各永久磁石２３が配置されて磁石磁極２６がＮ極磁極として構成されるとともに、各磁石磁極２６間の突極３１がＳ極磁極として機能することで、４５°等間隔の８磁極の所謂コンシクエントポール型（ハーフマグネット型）にて構成されている。また、永久磁石２３はロータコア２１に埋め込む態様で組み付けられることから、ロータ２０は磁石埋込型ロータであり、ブラシレスモータＭは所謂ＩＰＭ型モータでもある。
【００３４】
次に、本実施形態の作用について説明する。
本実施形態のロータ２０では、磁石磁極２６を内側磁極部２７と外側磁極部２８との別体で構成し、その径方向の間に永久磁石２３が挟み込まれるようにして配置される。この場合、内側及び外側磁極部２７，２８は、永久磁石２３の周方向両端周縁部分が非当接で離間した状態となっている。これにより、ロータ２０は、内側及び外側磁極部２７，２８を非当接としたことにより相互の磁気抵抗が高くなるため、永久磁石２３の端部周縁に生じ得る漏れ磁束が低減され、永久磁石２３の有効磁束が増加するようになっている。尚、各カバー部材２４，２５を非磁性体で形成することでより好適に漏れ磁束の低減が可能となる。
【００３５】
また、外側磁極部２８の軸方向両端部分が各カバー部材２４，２５の各挿入溝２４ｃ，２５ｃに圧入されて外側磁極部２８の固定が行われていることで、永久磁石２３が内側及び外側磁極部２７，２８で好適に挟圧保持される。ここで、ロータコアの収容孔に永久磁石を挿入する態様の従来のＩＰＭ型構造のロータでは、永久磁石をスリット部内への挿入を円滑に行う必要があることから、永久磁石の外側面とスリット部内側面との間に隙間（クリアランス）が設定されている。これが、永久磁石２３の有効磁束の低減、ひいてはモータトルクの低下させる一要因となる。これに対し本実施形態では、永久磁石２３と内側及び外側磁極部２７，２８とが面全体で隙間なく当接状態となるため、このことでも永久磁石２３の有効磁束が増加するようになっている。
【００３６】
次に、本実施形態の特徴的な効果を記載する。
（１）本実施形態のロータ２０において、永久磁石２３を埋め込む態様で構成された磁石磁極２６は、ロータコア２１と一体形成された内側磁極部２７と、内側磁極部２７と別体で設けられた外側磁極部２８とから構成される。ロータコア２１の軸方向の両側に設けられたカバー部材２４，２５にて各外側磁極部２８の軸方向両端部分を保持し、内側及び外側磁極部２７，２８にて永久磁石２３が挟圧保持される。そして、内側磁極部２７と外側磁極部２８とは、永久磁石２３の周方向両端周縁部分が非当接で離間した状態で固定される。これにより、ロータ２０は、内側及び外側磁極部２７，２８を非当接としたことにより相互の磁気抵抗が高くなるため、永久磁石２３の端部周縁に生じ得る漏れ磁束が低減される。結果、永久磁石２３の有効磁束の増加に繋がり、モータトルクを向上させることができる。
【００３７】
（２）磁石磁極２６は、内側及び外側磁極部２７，２８で永久磁石２３を径方向両側から挟圧保持して構成されることで、永久磁石２３と内側及び外側磁極部２７，２８との間の隙間（クリアランス）が極めて小さくなる。これにより、永久磁石２３の有効磁束を増加、ひいてはモータトルクを向上させることができる。
【００３８】
（３）各カバー部材２４，２５には、軸方向に凹設された挿入溝２４ｃ，２４ｃが設けられ、軸方向両側に設けられる各カバー部材２４，２５の挿入溝２４ｃ，２４ｃのそれぞれに外側磁極部２８の軸方向両端部分が挿入され該外側磁極部２８が保持される。これにより、外側磁極部２８を保持する構造を簡易な構成とすることができる。
【００３９】
（４）各挿入溝２４ｃ，２５ｃには、外側磁極部２８の平坦面２８ｂを圧接させる側面２４ｄ，２５ｄが設けられる。そして、各挿入溝２４ｃ，２５ｃは、外側磁極部２８の径方向内側の平坦面２８ａとの間に隙間Ｓが生じるようにその溝幅（径方向長さ）を外側磁極部２８の厚さよりも大きくして構成される。これにより、各挿入溝２４ｃ，２５ｃへの外側磁極部２８の圧入時に、該外側磁極部２８の端部が隙間Ｓ側に逃げることが可能となるため、圧入作業が容易となり、また寸法誤差等の吸収を図ることができる。
【００４０】
（５）ロータコア２１の軸方向両側に設けられた各カバー部材２４，２５には、軸方向に突出し、磁石磁極２６の周方向両側と係合する係合部２４ｂ，２５ｂがそれぞれ設けられる。これにより、永久磁石２３はその係合部２４ｂ，２５ｂにより周方向両側からも保持されるため、永久磁石２３の位置ずれ等を確実に防止することができる。
【００４１】
尚、本発明の実施形態は、以下のように変更してもよい。
・上記実施形態では、各カバー部材２４，２５の挿入溝２４ｃ，２５ｃに、外側磁極部２８の平坦面２８ｂが周方向全体に亘って圧接するように挿入されていたがこれに限定されない。
【００４２】
例えば、図４（ａ）（ｂ）に示すように、各挿入溝２４ｃ，２５ｃに外側磁極部２８の軸方向端部における両角部（周方向の一部）のみを挿入する構成に変更する。また、各挿入溝２４ｃ，２５ｃより外側の径方向外側部２４ｆ，２５ｆに外側磁極部２８の軸方向端部の中央部分を径方向外側（ステータ２側）に露出させる開口部２４ｇ，２５ｇを設けてもよい。この場合、外側磁極部２８は、軸方向両端部分の両角部に径方向内側に凹状をなす凹設部２８ｃが設けられ、換言すれば凹設部２８ｃ以外の部分が径方向外側に膨出した形状をなしている。そして、外側磁極部２８は、凹設部２８ｃを設けた角部を各挿入溝２４ｃ，２５ｃに圧入、この場合、径方向外側面では各挿入溝２４ｃ，２５ｃの側面２４ｄ，２５ｄに圧接、径方向内側面では各挿入溝２４ｃ，２５ｃの側面２４ｅ，２５ｅと隙間Ｓを有して組み付けられる。
【００４３】
これにより、外側磁極部２８は、各挿入溝２４ｃ，２５ｃに挿入される軸方向端部の両角部以外の部分が径方向外側（ステータ２側）に開口部２４ｇ，２５ｇから露出することでステータに直接対向する磁束発生面を広くすることができ、有効磁束を増加させることできる。しかも、各挿入溝２４ｃ，２５ｃに外側磁極部２８の軸方向端部における両角部（周方向の一部）のみを挿入する構成としたことで、外側磁極部２８の圧入荷重が軽減され、圧入作業が容易となる。更に、図４（ａ）に示すように、外側磁極部２８は、各挿入溝２４ｃ，２５ｃに挿入される軸方向端部の両角部以外の部分がロータ２０の最外周まで膨出しているため、外側磁極部２８、即ち磁石磁極２６と対向するステータ２との隙間を小さくすることで、有効磁束を増加させることができる。
【００４４】
・上記実施形態では、各カバー部材２４，２５の挿入部として、軸方向に凹設した挿入溝２４ｃ，２５ｃとしたが、これに限定されず、例えば軸方向に貫通した貫通孔として挿入部を構成してもよい。また、各カバー部材２４，２５の挿入部に外側磁極部２８の軸方向端部を挿入していたが、カバー部材２４，２５に凸部、外側磁極部２８に凹部を設けて凹凸嵌合関係を逆にしてもよい。
【００４５】
・上記実施形態では、挿入溝２４ｃ，２５ｃに挿入される外側磁極部２８の軸方向端部は僅かであるが、例えば挿入溝２４ｃ，２５ｃより外側の径方向外側部２４ｆ，２５ｆの一部又は全体を軸方向に延設し、外側磁極部２８の外側の平坦面２８ｂにおいて軸方向に広い範囲で当接させるようにしてもよい。この場合、外側磁極部２８の軸方向端部の限られた部分での挿入溝２４ｃ，２５ｃへの圧入では、軸方向中央部分が径方向に湾曲しがちであるため、径方向外側部２４ｆ，２５ｆを軸方向に延長することで、その湾曲形状となることが低減される。
【００４６】
・上記実施形態では、磁石磁極２６において内側及び外側磁極部２７，２８が永久磁石２３の周方向両側で離間した状態としたが、これに限定されない。漏れ磁束を低減させる観点では互いの部材を離間させることが好ましいが、例えば内側及び外側磁極部２７，２８を当接させた構成としてもよい。この場合、内側及び外側磁極部２７，２８の当接部分では、一体構成のものと比べて磁気抵抗は高いため、発生する漏れ磁束は小さい。
【００４７】
・上記実施形態では、外側磁極部２８において略直方体のコア部材２９を周方向に積層して構成したが、これに限定されず、コア部材２９を軸方向に積層する構成や、これら積層型に限らず磁性粉体の圧縮成形にて外側磁極部２８を構成してもよい。また、ロータコア２１のコア本体部分２１ａにおいても、磁性粉体の圧縮成形にて構成してもよい。
【００４８】
・上記実施形態では、各カバー部材２４，２５を略円環状に構成したが、これに限定されない。例えば、カバー部材２４，２５において磁石磁極２６部分を残し、突極３１部分を省略した形状としてもよい。
【００４９】
・上記実施形態では、ロータコア２１を圧入孔２１ｂにて回転軸７に外嵌固定したが、これに限定されず、例えばカバー部材２４，２５にてロータコア２１を保持できれば、ロータコア２１の中心孔を回転軸７の外径よりも大きく形成し、ロータコア２１と回転軸７とを非当接として構成してもよい。これにより、ロータコア２１の軽量化が図られ、また回転軸７への漏れ磁束が低減される。
【００５０】
・上記実施形態でのロータ２０の磁極数は一例であり、適宜変更してもよい。
・上記実施形態では、インナロータ型のモータＭに用いられるロータ２０に適用したが、アウタロータ型のモータのロータに適用してもよい。この場合、ロータとステータとの径方向の対向関係が逆になる。
・上記各実施形態では、ロータ２０の周方向に磁石磁極２６と突極３１とを交互に配置させたハーフマグネット型のＩＰＭ型モータに適用したが、これに限定されず、全磁極を磁石磁極２６で構成したフルマグネット型のＩＰＭ型モータに適用してもよい。
【符号の説明】
【００５１】
２…ステータ、６…巻線磁極（ステータの磁極）、２１…ロータコア、２３…永久磁石、２４，２５…カバー部材（保持部材）、２４ｂ，２５ｂ…係合部、２４ｃ，２５ｃ…挿入溝（挿入部）、２４ｄ，２５ｄ…側面（圧入部分）、２４ｇ，２５ｇ…開口部（開口部分）、２６…磁石磁極、２７…内側磁極部（反ステータ側磁極部）、２８…外側磁極部（ステータ側磁極部）、Ｓ…隙間。
【図１】
0005700794.tif 000002
【図２】
0005700794.tif 000003
【図３】
0005700794.tif 000004
【図４】
0005700794.tif 000005